(57)【要約】【課題】低層建築物の耐圧版式グリッドポスト基礎であって、容易に設置可能なポストの形成方法と引抜き耐力を確保できるものを提供する。【解決手段】Ｉ字状に構成した外周地中梁基礎内に地盤面下で耐圧版を形成し、所定の箇所に耐圧版と一体となる内部地中梁を形成し、耐圧版及び内部地中梁上面の所定の箇所にポストを形成するための組み合わせて十字状またはＩ字状などからなる型枠及び鉄筋を備えていることを特徴とするポストの形成方法【選択図】図８
2010203215.tif 000002
【特許請求の範囲】
【請求項１】
Ｉ字状に構成した外周地中梁基礎内の地盤面下で耐圧版を形成し、所定のグリッドとなる箇所に耐圧版と一体となる内部地中梁を形成し、内部地中梁上面及び耐圧版上面の所定の箇所にポストを形成することを特徴とする耐圧版式グリッドポスト基礎の形成方法であって、以下の構成を有する。
前記耐圧版の厚さの中に納まる所定の幅を有する前記内部地中梁を、所定のグリッドとなる箇所に耐圧版と一体に形成することを特徴とする耐圧版式グリッドポスト基礎の形成方法。
前記耐圧版の上面または下面より突出した形で所定の幅を有する前記内部地中梁を、所定のグリッドとなる箇所に耐圧版と一体に形成することを特徴とする耐圧版式グリッドポスト基礎の形成方法。
前記耐圧版と一体に形成する前記内部地中梁のレベルの配置位置は、状況により選択可能であることを特徴とする耐圧版式グリッドポスト基礎の形成方法。
前記内部地中梁の上面または前記耐圧版の上面に位置する前記ポストが、一体となるように内部地中梁または耐圧版に埋設されて成る、折り畳み可能な組立て鉄筋を備えていることを特徴とする耐圧版式グリッドポスト基礎の形成方法。
前記ポストを形成するための組み合わせて十字状またはＩ字状、Ｔ字状、Ｏ字状、□字状となる型枠を備えていることを特徴とする耐圧版式グリッドポスト基礎の形成方法。
【発明の詳細な説明】
【技術分野】
【０００１】  本発明は、低層建築物において、外周地中梁基礎内部の地盤面下で耐圧版を形成し、その耐圧版と一体となる内部地中梁を所定のグリッドとなる箇所に形成し、内部地中梁上面及び耐圧版上面の所定の箇所にポストを形成する耐圧版式グリッドポスト基礎の形成方法に関する。
【背景技術】
【０００２】  図２２に示す従来の布基礎工法は、底版ベースａ部と、これらの底版ベースａからそれぞれ鉛直に設けた立ち上りｂとを備えた逆Ｔ字状の外周布基礎及び内部布基礎から構成されている。また、図２３に示すべた基礎工法は、基礎底版全体をべたスラブｃとし、外周布状基礎ｄ及び内部布状基礎ｅと一体化されている。べた基礎工法では、外周布状基礎底版とべたスラブの取り合いにはハンチｆを設け、内部布状基礎ｅの下にはハンチを設けた地中梁ｇを配置している。
（なお、図２２、図２３、及び図１、図２１の外観斜視図において、一部切断した断面を示した部位のＧＬ下は、何もない空間として示されているが、これは図示の便宜上であって、実際は地盤、砕石、捨てコンクリート等で充填されている。）【０００３】  布基礎工法及びべた基礎工法は、一般的に鉄筋コンクリート（ＲＣ）造であり、いずれにも共通する布状基礎は、連続した地中梁としての役割を備えている。そして、通常、外周布基礎には、ベース部やハンチ部が形成され、地盤地耐力による反力を負担している。
しかし、このベース部やハンチ部を現場で形成するため施工性が悪く工期短縮とならない。
また、内部も布状基礎で構成されているので、布状基礎型枠の取り合い部で型枠が切断され、型枠にロスが生じ施工性が悪い。さらに基礎内部が布状基礎で仕切られるので床下の通風性も悪い。
【先行技術文献】
【０００４】  特許文献１では、布基礎の外周部に相当する水平底面の内辺にハンチを設け、寒冷地における冬季間の冷橋による凍上を防止するために補強されている。
また、耐圧版の上面に十字型柱状体、Ｔ字型柱状体、Ｉ字型柱状体のうち所望するものを束石状体として植設している。
【特許文献１】特開２０００−２２０１５０号公報
【発明の概要】
【発明が解決しようとする課題】
【０００５】  最近の住宅の基礎は、鉄筋コンクリート造の布基礎工法やべた基礎工法が施工されることが多く、地盤沈下や地震に対して所定の強度を有する構造になっていることがほとんどである。これは、昭和５６年６月に建築基準法が改正され、「新耐震基準」として壁量規定の見直しや、構造用合板や石膏ボード等の面材を用いた壁などが追加され、床面積あたりの必要壁長さや、軸組の種類・倍率が改定された。改正後に建てられた住宅などは、阪神・淡路大震災で倒壊などの被害が少なかったとされている。また、平成１２年には建築基準法の大改正と品確法の施行により、地盤の地耐力による基礎構造（布基礎、ベタ基礎、杭基礎）が規定され、耐力壁の配置にバランス計算、もしくは偏心率計算が必要となり、筋交いの端部と耐力壁の脇の柱頭・柱脚の仕様やホールダウン金物などに関する基準化がなされている。これにより、地震などの水平力よる大きな柱の引抜き力（特に３階建ての１階柱の柱脚部など）に対し、基礎からアンカーが必要な１５ｋＮ以上のホールダウン金物を設けなければならない場合がある。従って、特許文献１の外周基礎内に地盤面下で耐圧版を形成し、耐圧版上面の所定の箇所にＰＣ製などの束石状体を植設することを特徴とする耐圧版式グリッドポスト基礎においても、１５ｋＮ以上のホールダウン金物を設ける柱位置直下の束石状体には、要求される太さや埋設長さのアンカーボルトが必要とされる。
しかし、束石状のブロック体では要求される太さや埋設長さのアンカーボルトを設けることができず、このように工場生産の束石状体での対応は困難である。
また、逆Ｔ字状に構成した外周布基礎においては、底版のベース部と立ち上り部のコンクリートを２〜３回に分けて打設している。また、べた基礎工法や布基礎工法の場合の内部基礎は、布状の連続した基礎で構成されるため布状基礎の十字、Ｔ字の取り合い部で型枠ロスが生じ施工手間を必要とする。さらに、基礎内部の通風性が悪く湿気が停滞しカビや結露発生の恐れがある。
さらに、べた基礎工法や特許文献１に示す外周基礎底面部内側にハンチを設けるものにおいては、そのハンチ部分の根掘りが必要で土が崩れないように転圧しなければならず施工性が良くない。また、ハンチ部分にも鉄筋で補強が必要となるため、資材や加工手間が生じている。このほか、内部地中梁にもハンチを設けていることにより作業性が良くない。【０００６】  以上の現状により、本発明の基礎は、図１に示す耐圧版式グリッドポスト基礎１のＩ字状に構成した外周地中梁２と、外周基礎内の地盤面下に耐圧版３を形成する。ある程度の地耐力を有する地盤においては耐圧版の厚さの中に内部仮想地中梁４−１を設けることも可能とし、耐圧版３や内部地中梁４上面の所定の箇所のポスト５体内に、要求される埋設長さのホールダウン金物用アンカーボルト８−１を設けることができるポスト５を現場で形成する方法を提供することを目的とする。
【課題を解決するための手段】
【０００７】  上記の目的を実現するべき、本発明は以下の構成のものを提供する。【０００８】  本発明に係る耐圧版式グリッドポスト基礎１は、外周基礎の下面に斜めのハンチを設けないＩ字状に構成した外周地中梁２の基礎内の地盤面下で耐圧版３を形成し、所定のグリッドとなる箇所に耐圧版３と一体となる内部地中梁４を形成し、内部地中梁４および耐圧版３上面の所定の箇所にポスト５を形成することを特徴とする耐圧版式グリッドポスト基礎１の形成方法である。【０００９】  また、耐圧版３の厚さの中に納まる所定の幅を有する内部仮想地中梁４−１を、所定のグリッドとなる箇所に耐圧版３と一体に形成することを特徴とする耐圧版式グリッドポスト基礎１の形成方法である。【００１０】  また、耐圧版３の上面より突出した形で所定の幅を有する内部地中梁４−２、または下面より突出した形で所定の幅を有する内部地中梁４−３を、所定のグリッドとなる箇所に耐圧版３と一体に形成することを特徴とする耐圧版式グリッドポスト基礎１の形成方法である。【００１１】  また、耐圧版３と一体に形成する内部地中梁４−１、４−２、４−３のレベルの位置は、本発明の基礎１の施工状況や本基礎１が配置される地盤地耐力の状況により選択可能であることを特徴とする耐圧版式グリッドポスト基礎１の形成方法である。【００１２】  また、内部地中梁４の上面または耐圧版３の上面に位置するポスト５が、一体となるように内部地中梁４または耐圧版３に埋設されて成る、折り畳み可能な組立て鉄筋６を備えていることを特徴とする耐圧版式グリッドポスト基礎１の形成方法である。【００１３】  また、ポスト５を形成するための組み合わせて十字状またはＩ字状、Ｔ字状、Ｏ字状、□字状となる型枠７を備えていることを特徴とする耐圧版式グリッドポスト基礎の形成方法である。
【発明の効果】
【００１４】  本発明に係る基礎構造では、Ｉ字状に構成した外周地中梁基礎内の地盤面下で耐圧版を形成し、所定のグリッドとなる箇所に耐圧版と一体となる内部地中梁を形成し、内部地中梁および耐圧版上面の所定の箇所にポストを形成することを特徴とする耐圧版式グリッドポスト基礎であり、外周地中梁、内部地中梁及びポストの形成方法である。外周基礎内部の土台及び柱を受ける基礎はポスト状基礎のため、外周地中梁の型枠ロスや施工手間を必要とせず、また、床下内部に湿気が停滞し、カビや結露の発生の恐れもない。【００１５】  また、べた基礎や特許文献１に示す底版部内側にハンチを設けるものにおいては、そのハンチ部分の根掘りが必要で土が崩れないように転圧しなければならず施工性が悪かった。しかし、本発明に係る基礎構造では、外周地中梁及び内部地中梁、耐圧版の全体で面として地耐力による反力を負担するので、Ｉ字状に構成した外周地中梁や斜めのハンチを必要としない内部地中梁の基礎とすることで余分なハンチを省略できる。特に図示しないが、寒冷地での冷橋による凍上の恐れも、板状断熱材の施工（公知のスカート断熱工法や基礎断熱工法）で防ぐことができるようになった。
さらに、ある程度の地耐力を有する地盤においては耐圧版の厚さの中で仮想地中梁を設けることも可能となるので、根掘り、鉄筋組みなどの施工性が大幅に向上して工期短縮となる。
しかし、軟弱地盤の柱状改良や杭地業を施した場合の内部地中梁はＲＣ梁として設計するので、梁成を地盤面より下に大きくするか、耐圧版上面より上に大きくするなどの施工が必要となる。これらの内部地中梁レベルの配置位置の選定は、図２１に示す傾斜地における基礎の施工状況や地盤表土地耐力の状況に合せて選択することが可能となる。この場合も地中梁にハンチを設ける必要はない。【００１６】  また、本発明に係るものは、内部地中梁上面や耐圧版上面に位置するポストが、内部地中梁・耐圧版と一体となるように埋設されて成る、折り畳み可能な組立て鉄筋を備えていることで、ポスト自体の耐震性が大幅に向上し、耐圧版式グリッドポスト基礎及びポストの形成を容易にすることができる。さらにポスト体内に要求される埋設長さのホールダウン金物用アンカーボルトを所定の位置に容易に埋設することができる。【００１７】  また、本発明に係るものは、耐圧版及び内部地中梁の上面に位置するポストが、耐圧版及び内部地中梁と一体となるようにポストを形成するための組み合わせて十字状及びＩ字状、Ｔ字状、Ｏ字状、□字状となる型枠を備えていることにより、基礎立ち上り部の連続した型枠の取り付けが外周部だけで済むため大幅な工期短縮となる。
なお、ポストを形成するための型枠は、転用回数が多い型枠用合板型枠、ＦＲＰ製型枠、鋼製型枠や、取り外し不要のＧＲＣ製型枠などとするとよい。
【図面の簡単な説明】
【００１８】
【図１】は、本発明の一例を示す全体の外観斜視図である。
【図２】は、本発明の一例を示す主要部の断面図である。
【図３】は、本発明の一例を示す内部地中梁の断面図である。
【図４】は、本発明の一例を示す内部地中梁の断面図である。
【図５】は、本発明の十字ポスト用の折り畳み式鉄筋の一例を示す外観斜視図である。
【図６】は、本発明のＩ字ポスト用の折り畳み式鉄筋の一例を示す外観斜視図である。
【図７】は、本発明の折り畳み式鉄筋のコネクターの一例を示す外観斜視図である。
【図８】は、本発明のポストを形成するための十字状型枠の一例を示す外観斜視図である。
【図９】は、ポスト型枠の柱状体と側壁パネルの取り付け一例を示す外観斜視図である。
【図１０】は、ポスト型枠の側壁パネル同士の取り付け一例を示す外観斜視図である。
【図１１】は、本発明のポストを形成するためのＩ字状型枠の一例を示す外観斜視図である。
【図１２】は、本発明のポストを形成するための十字状型枠の他の実施例を示す外観斜視図である。
【図１３】は、本発明のポストを形成するためのＩ字状型枠の他の実施例を示す外観斜視図である。
【図１４】は、本発明のポストを形成するためのＴ字状型枠の一例を示す外観斜視図である。
【図１５】は、本発明のポストを形成するためのＯ字状型枠の一例を示す外観斜視図である。
【図１６】は、本発明のポストを形成するための□字状型枠の一例を示す外観斜視図である。
【図１７】は、本発明のポストに用いるホールダウン金物用アンカーボルトと土台用アンカーボルトを示す外観斜視図である。
【図１８】は、十字状型枠にアンカーボルトをセットした状態を示す外観斜視図である。
【図１９】は、Ｉ字状型枠にアンカーボルトをセットした状態を示す外観斜視図である。
【図２０】は、本発明の十字ポストに土台を設置し、柱を立てて、ホールダウン金物を取り付けた状態を示す外観斜視図である。
【図２１】は、本基礎の傾斜地における一例を示す全体の外観斜視図である。
【図２２】は、布基礎工法の一例を示す全体の外観斜視図である。
【図２３】は、べた基礎工法の一例を示す全体の外観斜視図である。
【発明を実施するための形態】
【００１９】    具体的実施例を以下に示し、図面を参照にして本発明の実施の形態を説明する。
本発明による図１に示す耐圧版式グリッドポスト基礎１は、低層建築物の鉄骨造や木造の基礎に好適である。ここでは、木造建築物の基礎に用いた場合で説明する。
【実施例】
【００２０】  図１に示した耐圧版式グリッドポスト基礎１は、Ｉ字状に構成した外周地中梁２と、基礎内の地盤面下で形成された耐圧版３と、ある程度の地耐力を有する地盤での仮想地中梁４−１と、耐圧版上面の所定の箇所にポスト５を形成することを特徴とした構成となっている。ポストの形状は十字ポスト５−１とＩ字ポスト５−２の形成方法がある。この他、Ｔ字ポスト７−３やＯ字ポスト７−４、□字ポスト７−５の形成も可能である。【００２１】  図２に示すものは耐圧版式グリッドポスト基礎１の断面を示す図であるが、鉄筋の表示は省略している。断面形状がＩ字状に構成した外周地中梁２と、基礎内の地盤面下で形成された耐圧版３が鉄筋で一体構造となっている。また、ある程度の地耐力を有する地盤での仮想地中梁４−１として耐圧版３の中に所定の耐力を保有可能な主筋の本数及び帯筋を平らに設けた地中梁を一体形成する。さらに、耐圧版３及び内部地中梁４−１上面の所定の箇所にポスト５を所望する十字ポスト５−１またはＩ字ポスト５−２などを形成する。
図３に示すものは、地盤の柱状改良や杭地業を施した場合などのＲＣ梁としての内部地中梁４−２で、梁成を地盤面より下に大きくする。この場合ハンチを設ける必要はない。
図４に示すものは、地盤の柱状改良や杭地業を施した場合や傾斜地における基礎などのＲＣ梁としての内部地中梁４−３で、梁成を耐圧版３上面より上に大きくする。
以上に示すように耐圧版３と一体に形成する内部地中梁４のレベルの配置位置を決定するものの一例として、図２１に示す傾斜地における外週基礎底版に段差を設けて施工しなければならないなどの状況や、基礎が配置される地盤表土の地耐力の状況や杭地業状況などにより選択可能であることを特徴としている。【００２２】  図５に示すものは内部地中梁４や耐圧版３の上面に位置するポスト５が、内部地中梁４や耐圧版と一体となるように耐圧版に埋設されて成る、ポストに適合する折り畳み可能な組み立て鉄筋６を示し、十字ポスト５−１用鉄筋６−１を示している。【００２３】ここで、十字ポスト５−１用鉄筋６−１は、内部地中梁４や耐圧版３に定着して主筋となるＬ字状の縦筋６ａと横筋６ｂで構成され、組み立てられた状態で上面から見て左右に回転して折り畳み可能なフック６ｃや図７に示す折り畳み可能とする回転式コネクター６ｄなどを有する構成となっている。これにより、製造、運搬が容易となる。
また、図６に示すＩ字ポスト５−２用鉄筋６−２は、内部地中梁４や耐圧版３に定着して主筋となるＬ字状の縦筋６ａと横筋６ｂで構成され、組み立てられた状態で正面から見て左右に折り畳み可能となる図７に示す回転式コネクター６ｄなどを有す構成となっている。これにより、製造、運搬が容易となる。特に図示しないが、Ｔ字ポスト７−３用やＯ字ポスト７−４用、□字ポスト７−５用の鉄筋も同様である。【００２４】  図８に示すものは、十字ポスト５−１を形成するための組み合わせて十字となる十字状型枠７−１である。また、図１１に示すものは、Ｉ字ポスト５−２を形成するための組み合わせてＩ字となるＩ字状型枠７−２を示している。この場合、型枠の素材は、転用回数を多く用いられる型枠用合板、ＦＲＰ製、鋼製や、取り外し不要のＧＲＣ製などとすることができるが、ここではＦＲＰ製型枠を用いた場合で説明する。図９及び図１０に示すコーナー柱状体７ａと側壁パネル７ｂで構成され、コーナー柱状体７ａと側壁パネル７ｂはボルト及びナットで接合し、側壁パネル７ｂ同士はジョイントコネクター７ｃを側壁パネル７ｂ同士の穴に差込、上又は下に回すことで締め付けられて固定されるように構成されている。
また、図１２、図１３に示すものはコーナー柱状態７ａを用いない場合の他の実施例を示す。図示しないが、型枠７を組み合わせた後に単管とホームタイにて固定するものとする。
また、図１４のＴ字状型枠７−３、図１５のＯ字状型枠７−４、図１６の□字状型枠７−５での実施も可能である。【００２５】  図１７に示すものは、ポスト５に用いるホールダウン金物用アンカーボルト８−１と土台用アンカーボルト８−２を示し、図１８は十字状型枠７−１にセットした状態を示し、図１９はＩ字状型枠７−２にセットした状態を示す。また、特に図示しないが、この時、市販のアンカーボルトの専用ホルダーなどを用いると施工性と精度がよい。
また、図２０に示すものは十字ポスト５−１に土台９を設置し、柱１０を建て、ホールダウン金物１１を取り付けた状態を示し、なお、特に図示しないが、Ｉ字ポスト５−２７や、Ｔ字状型枠７−３、Ｏ字状型枠７−４、□字状型枠７−５を用いた場合も同様とする。
【符号の説明】
【００２６】  １  耐圧版式グリッドポスト基礎
２  外周地中梁
３  耐圧版
４  地中梁
５  ポスト
６  組立て鉄筋
７  ポスト型枠
８  土台
９  柱
１０ホールダウン金物
【図１】
2010203215.tif 000003
【図２】
2010203215.tif 000004
【図３】
2010203215.tif 000005
【図４】
2010203215.tif 000006
【図５】
2010203215.tif 000007
【図６】
2010203215.tif 000008
【図７】
2010203215.tif 000009
【図８】
2010203215.tif 000010
【図９】
2010203215.tif 000011
【図１０】
2010203215.tif 000012
【図１１】
2010203215.tif 000013
【図１２】
2010203215.tif 000014
【図１３】
2010203215.tif 000015
【図１４】
2010203215.tif 000016
【図１５】
2010203215.tif 000017
【図１６】
2010203215.tif 000018
【図１７】
2010203215.tif 000019
【図１８】
2010203215.tif 000020
【図１９】
2010203215.tif 000021
【図２０】
2010203215.tif 000022
【図２１】
2010203215.tif 000023
【図２２】
2010203215.tif 000024
【図２３】
2010203215.tif 000025